(57)【特許請求の範囲】
【請求項１】
印刷サービスコードを出力可能な携帯電話と、当該携帯電話からの印刷サービスコードを受け付け可能な印刷機と、当該携帯電話及び当該印刷機とネットワークを介して接続可能な広告制御サーバとからなる広告システムであって、
前記広告制御サーバは、
（１）許可コードを記憶する許可コード管理テーブルと、
（２）前記携帯電話からユーザ認証情報を受信して、ユーザ認証を行なうユーザ認証部と、（３）前記印刷機に記憶している広告画像ファイルを識別する配信広告ＩＤ群を記憶する配信広告テーブルと、
（４）配信広告テーブルで記憶している配信広告ＩＤ群のうちいずれかを、適応広告ＩＤと判定する適応広告判定部と、
（５）許可コード管理テーブルで記憶している許可コードと前記適応広告ＩＤとを含む印刷サービスコードを生成する印刷サービスコード生成部と、
（６）ユーザ認証が成功した場合に、生成した印刷サービスコードを前記携帯電話に返信する印刷サービスコード返信部を有し、
前記印刷機は、
（イ）前記許可コード管理テーブルと共有する許可コードを記憶する許可コード記憶部と、
（ロ）前記広告制御サーバが送信する前記広告画像ファイル群を記憶する広告画像ファイル記憶部と、
（ハ）前記携帯電話から印刷サービスコードを受け付ける印刷サービスコード受付部と、（ニ）受け付けた印刷サービスコードに含まれる許可コードが、許可コード記憶部に記憶している許可コードと一致する場合に、当該印刷サービスコードが適正と判定する許可コード判定部と、
（ホ）当該印刷サービスコードが適正と判定した場合に、前記受け付けた印刷サービスコードに含まれる適応広告ＩＤにより特定される広告画像ファイルを広告画像ファイル記憶部から読み取り、原稿から読み取ったスキャン画像に当該広告画像ファイルから得られる広告画像を付して印刷する動作を制御する印刷動作制御部を有することを特徴とする広告システム。
【請求項２】
請求項１に記載の広告システムであって、
前記広告制御サーバは、更に、
（７）ユーザＩＤに対応付けて個人情報を記憶する個人情報管理テーブルと、
（８）広告ＩＤに対応付けて、当該広告に適応するユーザを判定するためのユーザ適応条件を記憶する広告管理テーブルを有し、
前記ユーザ認証部は、ユーザ認証が成功した場合に、当該ユーザ認証に係るユーザＩＤを特定し、
前記適応広告判定部は、特定したユーザＩＤに対応する個人情報を個人情報管理テーブルから読み取り、前記配信広告テーブルで記憶している配信広告ＩＤ毎に、広告管理テーブルから当該配信広告ＩＤに対応するユーザ適応条件を読み取り、当該個人情報が当該ユーザ適応条件に適合するか判定し、適合する場合に当該配信広告ＩＤを、適応広告ＩＤと判定することを特徴とする広告システム。
【請求項３】
請求項１記載の広告システムであって、
前記広告制御サーバは、更に、
（９）広告画像ファイル群を記憶する広告画像ファイル蓄積部と、
（１０）広告画像ファイル蓄積部で記憶している広告画像ファイルの広告ＩＤ群を記憶する広告管理テーブルと、
（１１）広告管理テーブルで記憶している広告ＩＤ群のうちいずれかを、配信する広告のＩＤとして選択し、選択した配信広告ＩＤを前記配信広告テーブルに記憶させる配信広告選択部と、
（１２）前記配信広告ＩＤに対応する広告画像ファイルを広告画像ファイル蓄積部から読み取り、当該広告画像ファイルを前記印刷機に送信する広告画像送信部を有し、
前記印刷機は、更に、
（ヘ）前記広告制御サーバから広告画像ファイルを受信し、当該広告画像ファイルを前記広告画像ファイル記憶部に記憶させる広告画像受信部を有することを特徴とする広告システム。
【請求項４】
請求項３に記載の広告システムであって、
前記広告制御サーバは、更に、
（１３）許可コード群を生成し、当該許可コードを前記許可コード管理テーブルに記憶させる許可コード生成部と、
（１４）前記広告画像送信部による広告画像ファイルの送信と連動して、生成した当該許可コードを印刷機に送信する許可コード送信部を有し、
前記印刷機は、更に、
（ト）許可コードを受信し、当該許可コードを前記許可コード記憶部に記憶させる許可コード受信部を有することを特徴とする広告システム。
【請求項５】
請求項３に記載の広告システムであって、
前記広告制御サーバは、更に、
（１５）印刷機の設置に係る特性あるいは印刷機の機能に係る特性である印刷機特性を記憶する印刷機管理テーブルを有し、
前記広告管理テーブルは、更に、広告ＩＤに対応付けて当該広告に適応する印刷機を判定するため印刷機適応条件を記憶し、
前記配信広告選択部は、印刷機管理テーブルから印刷機の印刷機特性を読み取り、前記広告管理テーブルで記憶している広告ＩＤ毎に、当該広告ＩＤに対応する印刷機適応条件を読み取り、当該印刷機特性が当該印刷機適応条件適合するか判定し、適合する場合に当該広告ＩＤを配信広告ＩＤとして選択することを特徴とする広告システム。
【請求項６】
請求項１に記載の広告システムであって、
前記印刷機は、更に、
（チ）前記印刷動作制御部による印刷動作の制御に係る印刷サービス履歴を記憶するための印刷サービス履歴記憶部を有し、
前記ユーザ認証部は、ユーザ認証が成功した場合に、当該ユーザ認証に係るユーザＩＤを特定し、
前記印刷サービスコード生成部は、生成する印刷サービスコードに更に特定したユーザＩＤを含め、
前記印刷動作制御部は、前記印刷させた広告画像を特定した適応広告ＩＤを印刷広告ＩＤとし、当該印刷広告ＩＤと、前記受け付けた印刷サービスコードに含まれるユーザＩＤを含む印刷サービス履歴を生成し、当該印刷サービス履歴を印刷サービス履歴記憶部に記憶させ、
前記印刷機は、更に、
（リ）印刷サービス履歴記憶部から印刷サービス履歴を読み取り、当該印刷サービス履歴を前記広告制御サーバに送信する印刷サービス履歴送信部を有し、
前記広告制御サーバは、更に、
（１６）前記印刷機から収集した印刷サービス履歴を記憶するための収集印刷サービス履歴記憶部と、
（１７）前記印刷機から印刷サービス履歴を受信し、当該印刷サービス履歴を収集印刷サービス履歴記憶部に記憶させる印刷サービス履歴受信部を有することを特徴とする広告システム。
【請求項７】
請求項６に記載の広告システムであって、
前記広告制御サーバは、更に、
（７）ユーザＩＤに対応付けて個人情報を記憶する個人情報管理テーブルと、
（１８）個人情報によってユーザを層別するためのユーザ層別条件を含む広告実績集計条件を受け付ける広告実績集計条件受付部と、
（１９）前記収集印刷サービス履歴記憶部に記憶している印刷サービス履歴毎に、当該印刷サービス履歴に含まれるユーザＩＤに対応する個人情報を個人情報管理テーブルから読み取り、受け付けた広告実績集計条件に含まれるユーザ層別条件に当該個人情報が適合するか否かによりユーザ層毎に印刷数をカウントし、ユーザ層毎の印刷数からなる広告実績を生成する広告実績集計部と、
（２０）生成した広告実績を出力する広告実績出力部を有することを特徴とする広告システム。
【請求項８】
請求項１に記載の広告システムであって、
前記印刷機は、更に、
（チ）前記印刷動作制御部による印刷動作の制御に係る印刷サービス履歴を記憶するための印刷サービス履歴記憶部を有し、
前記印刷動作制御部は、前記印刷させた広告画像を特定した適応広告ＩＤを印刷広告ＩＤとし、当該印刷広告ＩＤと、印刷した日時を含む印刷サービス履歴を生成し、当該印刷サービス履歴を印刷サービス履歴記憶部に記憶させ、
前記印刷機は、更に、
（リ）印刷サービス履歴記憶部から印刷サービス履歴を読み取り、当該印刷サービス履歴を前記広告制御サーバに送信する印刷サービス履歴送信部を有し、
前記広告制御サーバは、更に、
（１６）前記印刷機から収集した印刷サービス履歴を記憶するための収集印刷サービス履歴記憶部と、
（１７）前記印刷機から印刷サービス履歴を受信し、当該印刷サービス履歴を収集印刷サービス履歴記憶部に記憶させる印刷サービス履歴受信部を有することを特徴とする広告システム。
【請求項９】
請求項８記載の広告システムであって、
前記広告制御サーバは、更に、
（１８）印刷日時によって層別するための印刷日時層別条件を含む広告実績集計条件を受け付ける広告実績集計条件受付部と、
（１９）前記収集印刷サービス履歴記憶部に記憶している印刷サービス履歴毎に、受け付けた広告実績集計条件に含まれる印刷日時層別条件に当該印刷サービス履歴に含まれる印刷日時が適合するか否かにより印刷日時層毎に印刷数をカウントし、印刷日時層毎の印刷数からなる広告実績を生成する広告実績集計部と、
（２０）生成した広告実績を出力する広告実績出力部を有することを特徴とする広告システム。
【請求項１０】
請求項１に記載の広告システムであって、
前記印刷機は、更に、
（チ）前記印刷動作制御部による印刷動作の制御に係る印刷サービス履歴を記憶するための印刷サービス履歴記憶部を有し、
前記印刷動作制御部は、前記印刷させた広告画像を特定した適応広告ＩＤを印刷広告ＩＤとし、当該印刷広告ＩＤを含む印刷サービス履歴を生成し、当該印刷サービス履歴を印刷サービス履歴記憶部に記憶させ、
前記印刷機は、更に、
（リ）印刷サービス履歴記憶部から印刷サービス履歴を読み取り、当該印刷サービス履歴を前記広告制御サーバに送信する印刷サービス履歴送信部を有し、
前記広告制御サーバは、更に、
（１６）前記印刷機から収集した印刷サービス履歴を、当該印刷機のＩＤに対応付けて記憶するための収集印刷サービス履歴記憶部と、
（１７）前記印刷機から印刷サービス履歴を受信し、当該印刷機のＩＤに対応付けて当該印刷サービス履歴を収集印刷サービス履歴記憶部に記憶させる印刷サービス履歴受信部を有することを特徴とする広告システム。
【請求項１１】
請求項１０に記載の広告システムであって、
前記広告制御サーバは、更に、
（１５）印刷機の設置に係る特性あるいは印刷機の機能に係る特性である印刷機特性を記憶する印刷機管理テーブルと、
（１８）印刷機特性によって印刷機を層別するための印刷機層別条件を含む広告実績集計条件を受け付ける広告実績集計条件受付部と、
（１９）前記収集印刷サービス履歴記憶部に記憶している印刷サービス履歴毎に、前記収集印刷サービス履歴記憶部で当該印刷サービス履歴に対応付けられている印刷機ＩＤに対応する印刷機特性を印刷機管理テーブルから読み取り、受け付けた広告実績集計条件に含まれる印刷機層別条件に当該印刷機特性が適合するか否かにより印刷機層毎に印刷数をカウントし、印刷機層毎の印刷数からなる広告実績を生成する広告実績集計部と、
（２０）生成した広告実績を出力する広告実績出力部を有することを特徴とする広告システム。
【請求項１２】
請求項１に記載の広告システムであって、
前記印刷機はコピー機であって、
前記印刷動作制御部は、コピー機に対する操作に従って、スキャンコマンドを発行するスキャン指示部と、発行されたスキャンコマンドに従って、原稿の画像イメージを読み取るスキャン動作を制御するスキャン機構制御部と、読み取ったスキャン画像と広告画像を含む印刷画像を生成する印刷画像生成部と、生成した印刷画像を記憶する印刷画像メモリと、印刷画像メモリに記憶している印刷画像を用紙に印刷するプリント動作を制御するプリント機構制御部を有することを特徴とする広告システム。
【請求項１３】
印刷サービスコードを出力可能な携帯電話と、当該携帯電話から印刷サービスコードを受け付け可能な印刷機とにネットワークを介して接続可能な広告制御サーバであって、
（１）許可コードを記憶する許可コード管理テーブルと、
（２）前記携帯電話からユーザ認証情報を受信して、ユーザ認証を行なうユーザ認証部と、
（３）前記印刷機に記憶している広告画像ファイルを識別する配信広告ＩＤ群を記憶する配信広告テーブルと、
（４）配信広告テーブルで記憶している配信広告ＩＤ群のうちいずれかを、適応広告ＩＤと判定する適応広告判定部と、
（５）許可コード管理テーブルで記憶している許可コードと、前記適応広告ＩＤとを含む印刷サービスコードを生成する印刷サービスコード生成部と、
（６）ユーザ認証が成功した場合に、生成した印刷サービスコードを前記携帯電話に返信する印刷サービスコード返信部を有することを特徴とすることを特徴とする広告制御サーバ。
【請求項１４】
携帯電話からの印刷サービスコードを受け付け可能な印刷機であって、
（イ）許可コードを記憶する許可コード記憶部と、
（ロ）広告画像ファイル群を記憶する広告画像ファイル記憶部と、
（ハ）前記携帯電話から許可コードと適応広告ＩＤとを含む印刷サービスコードを受け付ける印刷サービスコード受付部と、
（ニ）受け付けた印刷サービスコードに含まれる許可コードが、許可コード記憶部に記憶している許可コードと一致する場合に、当該印刷サービスコードが適正と判定する許可コード判定部と、
（ホ）当該印刷サービスコードが適正と判定した場合に、前記受け付けた印刷サービスコードに含まれる適応広告ＩＤにより特定される広告画像ファイルを広告画像ファイル記憶部から読み取り、原稿から読み取ったスキャン画像に当該広告画像ファイルから得られる広告画像を付して印刷する動作を制御する印刷動作制御部を有することを特徴とする印刷機。
【請求項１５】
請求項１４に記載の印刷機であって、
前記印刷機はコピー機であって、
前記印刷動作制御部は、コピー機に対する操作に従って、スキャンコマンドを発行するスキャン指示部と、発行されたスキャンコマンドに従って、原稿の画像イメージを読み取るスキャン動作を制御するスキャン機構制御部と、読み取ったスキャン画像と広告画像を含む印刷画像を生成する印刷画像生成部と、生成した印刷画像を記憶する印刷画像メモリと、印刷画像メモリに記憶している印刷画像を用紙に印刷するプリント動作を制御するプリント機構制御部を有することを特徴とする印刷機。
【請求項１６】
許可コードを記憶する許可コード管理テーブルと、広告画像ファイルを識別する配信広告ＩＤ群を記憶する配信広告テーブルを有し、印刷サービスコードを出力可能な携帯電話と、当該携帯電話から印刷サービスコードを受け付け可能な印刷機とにネットワークを介して接続可能な広告制御サーバとなるコンピュータに、以下の手順を実行させるためのプログラム
（１）前記携帯電話からユーザ認証情報を受信して、ユーザ認証を行なうユーザ認証処理（２）配信広告テーブルで記憶している配信広告ＩＤ群のうちいずれかを、適応広告ＩＤと判定する適応広告判定処理
（３）許可コード管理テーブルで記憶している許可コード、と前記適応広告ＩＤとを含む印刷サービスコードを生成する印刷サービスコード生成処理
（４）ユーザ認証が成功した場合に、生成した印刷サービスコードを前記携帯電話に返信
する印刷サービスコード返信処理。
【発明の詳細な説明】
【技術分野】
【０００１】
本発明は、コピー機に代表される印刷機を利用した広告システムに係り、広告制御サーバから印刷機に配信される広告画像を用いて実施する広告活動の効率を向上させる技術に関する。
【背景技術】
【０００２】
「画像形成装置及びシステム、画像読取装置およびシステム、記録媒体」（特許文献１）には、ネットワーク上の複写機やＦＡＸ等の機器を新たな広告媒体として利用し、利用者に低価格な印刷機能を提供できることを課題とし、読み取った原画像に対して、ネットワークからダウンロードした合成用画像を合成することにより、広告画像とする技術が開示されている。
【０００３】
また、「情報配信システム、情報配信方法、およびその方法をコンピュータに実行させるプログラムを記録したコンピュータ読み取り可能な記録媒体」（特許文献２）には、広告依頼主のニーズを満たす広告を顧客に対して迅速かつ効率よく提供することを課題とし、広告依頼に適合する複写機を特定し、広告内容を送信する技術が開示されている。
【０００４】
一般のコピーサービスのように不特定のユーザによる使用の場合や、コピー機の所有者自身による使用の場合には、コピー機を使用する利用者を確認し、他者の使用を排除する必要がないが、本発明の前提のように特定のユーザ（例えば、会員）に限定してコピーサービスを提供する場合には、ユーザ認証の処理が必要になる。
【０００５】
しかし現金自動支払い機におけるユーザ認証のように、実際のサービス実行の段階でユーザ認証の手続きを行なうと、操作が煩わしく処理時間もかかる。
【０００６】
またコピーサービスで、使用の予定がわからない多数のユーザに対してそれぞれ個別に適した広告を選択することは、特許文献２のようにコピー機に対する使用者が限定されている前提で適した広告を選択する技術よりも困難を伴う。
【特許文献１】特開平１１−１９２７６０号公報
【特許文献２】特開２００２−１６５０４５号公報
【発明の開示】
【発明が解決しようとする課題】
【０００７】
本発明は、特定のユーザに印刷機を利用させる形態の広告付き印刷サービスにおいて、ユーザ認証処理、広告を選択する処理、あるいは広告画像を転送する処理に係る操作の煩わしさや、ユーザの待機を伴う処理を解消することなどにより、広告活動の効率を向上させることを課題とする。
【課題を解決するための手段】
【０００８】
本発明に係る広告システムは、
印刷サービスコードを出力可能な携帯電話と、当該携帯電話からの印刷サービスコードを受け付け可能な印刷機と、当該携帯電話及び当該印刷機とネットワークを介して接続可能な広告制御サーバとからなる広告システムであって、
前記広告制御サーバは、
（１）許可コードを記憶する許可コード管理テーブルと、
（２）前記携帯電話からユーザ認証情報を受信して、ユーザ認証を行なうユーザ認証部と、（３）前記印刷機に記憶している広告画像ファイルを識別する配信広告ＩＤ群を記憶する配信広告テーブルと、
（４）配信広告テーブルで記憶している配信広告ＩＤ群のうちいずれかを、適応広告ＩＤと判定する適応広告判定部と、
（５）許可コード管理テーブルで記憶している許可コードと前記適応広告ＩＤとを含む印刷サービスコードを生成する印刷サービスコード生成部と、
（６）ユーザ認証が成功した場合に、生成した印刷サービスコードを前記携帯電話に返信する印刷サービスコード返信部を有し、
前記印刷機は、
（イ）前記許可コード管理テーブルと共有する許可コードを記憶する許可コード記憶部と、
（ロ）前記広告制御サーバが送信する前記広告画像ファイル群を記憶する広告画像ファイル記憶部と、
（ハ）前記携帯電話から印刷サービスコードを受け付ける印刷サービスコード受付部と、（ニ）受け付けた印刷サービスコードに含まれる許可コードが、許可コード記憶部に記憶している許可コードと一致する場合に、当該印刷サービスコードが適正と判定する許可コード判定部と、
（ホ）当該印刷サービスコードが適正と判定した場合に、前記受け付けた印刷サービスコードに含まれる適応広告ＩＤにより特定される広告画像ファイルを広告画像ファイル記憶部から読み取り、原稿から読み取ったスキャン画像に当該広告画像ファイルから得られる広告画像を付して印刷する動作を制御する印刷動作制御部を有することを特徴とする
【０００９】
ユーザ認証が成功した場合に許可コードを含む印刷サービスコードを送信し、その許可コードにより正当性を判定するので、特定のユーザのみが印刷機を使用可能となり、他の者による不正使用を排除することができる。特に、印刷機側にユーザ認証部を設ける必要がないので、ユーザ認証情報を印刷機側に開示することがなく、セキュリティ情報の流出を防止できる。また、印刷実行の際に、ユーザ認証のための通信が不要となるので、処理性能が向上する。
【００１０】
適応広告ＩＤを印刷サービスコードに含ませ、その適応広告ＩＤに従って広告画像を印刷するので、広告制御サーバで指定した画像を印刷させることができる。また、印刷の際に通信が不要であるので処理が早い。
【００１１】
前記広告制御サーバは、更に、
（７）ユーザＩＤに対応付けて個人情報を記憶する個人情報管理テーブルと、
（８）広告ＩＤに対応付けて、当該広告に適応するユーザを判定するためのユーザ適応条件を記憶する広告管理テーブルを有し、
前記ユーザ認証部は、ユーザ認証が成功した場合に、当該ユーザ認証に係るユーザＩＤを特定し、
前記適応広告判定部は、特定したユーザＩＤに対応する個人情報を個人情報管理テーブルから読み取り、前記配信広告テーブルで記憶している配信広告ＩＤ毎に、広告管理テーブルから当該配信広告ＩＤに対応するユーザ適応条件を読み取り、当該個人情報が当該ユーザ適応条件に適合するか判定し、適合する場合に当該配信広告ＩＤを、適応広告ＩＤと判定することを特徴とする。
【００１２】
ユーザ適応条件により適合を判定するので、ユーザに適した広告を選択して、印刷させることができる。例えば、広告主の依頼によりユーザ層を定める場合や、広告対象の商品やサービスの特性に従ってユーザを限定する場合に有効である。
【００１３】
前記広告制御サーバは、更に、
（９）広告画像ファイル群を記憶する広告画像ファイル蓄積部と、
（１０）広告画像ファイル蓄積部で記憶している広告画像ファイルの広告ＩＤ群を記憶する広告管理テーブルと、
（１１）広告管理テーブルで記憶している広告ＩＤ群のうちいずれかを、配信する広告のＩＤとして選択し、選択した配信広告ＩＤを前記配信広告テーブルに記憶させる配信広告選択部と、
（１２）前記配信広告ＩＤに対応する広告画像ファイルを広告画像ファイル蓄積部から読み取り、当該広告画像ファイルを前記印刷機に送信する広告画像送信部を有し、
前記印刷機は、更に、
（ヘ）前記広告制御サーバから広告画像ファイルを受信し、当該広告画像ファイルを前記広告画像ファイル記憶部に記憶させる広告画像受信部を有することを特徴とする。
【００１４】
広告画像を選択的に配信するので、印刷機に適確な広告画像を割り振ることができる。
【００１５】
前記広告制御サーバは、更に、
（１３）許可コード群を生成し、当該許可コードを前記許可コード管理テーブルに記憶させる許可コード生成部と、
（１４）前記広告画像送信部による広告画像ファイルの送信と連動して、生成した当該許可コードを印刷機に送信する許可コード送信部を有し、
前記印刷機は、更に、
（ト）許可コードを受信し、当該許可コードを前記許可コード記憶部に記憶させる許可コード受信部を有することを特徴とする。
【００１６】
広告画像ファイルの送信と連動して許可コードを送信するので、広告画像と許可コードの整合を取ることができる。仮に許可コードを配信した時点で、広告画像を配信していないような状況が生じると、印刷しようとする広告画像ファイルが無いという事態が起こり得るが、本発明ではこのような不具合を解消できる。
【００１７】
前記広告制御サーバは、更に、
（１５）印刷機の設置に係る特性あるいは印刷機の機能に係る特性である印刷機特性を記憶する印刷機管理テーブルを有し、
前記広告管理テーブルは、更に、広告ＩＤに対応付けて当該広告に適応する印刷機を判定するため印刷機適応条件を記憶し、
前記配信広告選択部は、印刷機管理テーブルから印刷機の印刷機特性を読み取り、前記広告管理テーブルで記憶している広告ＩＤ毎に、当該広告ＩＤに対応する印刷機適応条件を読み取り、当該印刷機特性が当該印刷機適応条件適合するか判定し、適合する場合に当該広告ＩＤを配信広告ＩＤとして選択することを特徴とする。
【００１８】
印刷機適応条件により広告を選択するので、印刷機に適した広告を得られる。
【００１９】
前記印刷機は、更に、
（チ）前記印刷動作制御部による印刷動作の制御に係る印刷サービス履歴を記憶するための印刷サービス履歴記憶部を有し、
前記ユーザ認証部は、ユーザ認証が成功した場合に、当該ユーザ認証に係るユーザＩＤを特定し、
前記印刷サービスコード生成部は、生成する印刷サービスコードに更に特定したユーザＩＤを含め、
前記印刷動作制御部は、前記印刷させた広告画像を特定した適応広告ＩＤを印刷広告ＩＤとし、当該印刷広告ＩＤと、前記受け付けた印刷サービスコードに含まれるユーザＩＤを含む印刷サービス履歴を生成し、当該印刷サービス履歴を印刷サービス履歴記憶部に記憶させ、
前記印刷機は、更に、
（リ）印刷サービス履歴記憶部から印刷サービス履歴を読み取り、当該印刷サービス履歴を前記広告制御サーバに送信する印刷サービス履歴送信部を有し、
前記広告制御サーバは、更に、
（１６）前記印刷機から収集した印刷サービス履歴を記憶するための収集印刷サービス履歴記憶部と、
（１７）前記印刷機から印刷サービス履歴を受信し、当該印刷サービス履歴を収集印刷サービス履歴記憶部に記憶させる印刷サービス履歴受信部を有することを特徴とする。
【００２０】
印刷広告ＩＤとユーザＩＤを含む印刷サービス履歴を収集するので、広告と当該広告を印刷したサービスを受けたユーザの関係を広告制御サーバ側で把握できる。
【００２１】
前記広告制御サーバは、更に、
（７）ユーザＩＤに対応付けて個人情報を記憶する個人情報管理テーブルと、
（１８）個人情報によってユーザを層別するためのユーザ層別条件を含む広告実績集計条件を受け付ける広告実績集計条件受付部と、
（１９）前記収集印刷サービス履歴記憶部に記憶している印刷サービス履歴毎に、当該印刷サービス履歴に含まれるユーザＩＤに対応する個人情報を個人情報管理テーブルから読み取り、受け付けた広告実績集計条件に含まれるユーザ層別条件に当該個人情報が適合す
るか否かによりユーザ層毎に印刷数をカウントし、ユーザ層毎の印刷数からなる広告実績を生成する広告実績集計部と、
（２０）生成した広告実績を出力する広告実績出力部を有することを特徴とする。
【００２２】
収集した印刷サービス履歴をユーザ層別条件により層別するので、ユーザの特性に従って広告実績を集計できる。
【００２３】
前記印刷機は、更に、
（チ）前記印刷動作制御部による印刷動作の制御に係る印刷サービス履歴を記憶するための印刷サービス履歴記憶部を有し、
前記印刷動作制御部は、前記印刷させた広告画像を特定した適応広告ＩＤを印刷広告ＩＤとし、当該印刷広告ＩＤと、印刷した日時を含む印刷サービス履歴を生成し、当該印刷サービス履歴を印刷サービス履歴記憶部に記憶させ、
前記印刷機は、更に、
（リ）印刷サービス履歴記憶部から印刷サービス履歴を読み取り、当該印刷サービス履歴を前記広告制御サーバに送信する印刷サービス履歴送信部を有し、
前記広告制御サーバは、更に、
（１６）前記印刷機から収集した印刷サービス履歴を記憶するための収集印刷サービス履歴記憶部と、
（１７）前記印刷機から印刷サービス履歴を受信し、当該印刷サービス履歴を収集印刷サービス履歴記憶部に記憶させる印刷サービス履歴受信部を有することを特徴とする。
【００２４】
印刷広告ＩＤと印刷日時を含む印刷サービス履歴を収集するので、広告と当該広告を印刷した日時の関係を広告制御サーバ側で把握できる。
【００２５】
前記広告制御サーバは、更に、
（１８）印刷日時によって層別するための印刷日時層別条件を含む広告実績集計条件を受け付ける広告実績集計条件受付部と、
（１９）前記収集印刷サービス履歴記憶部に記憶している印刷サービス履歴毎に、受け付けた広告実績集計条件に含まれる印刷日時層別条件に当該印刷サービス履歴に含まれる印刷日時が適合するか否かにより印刷日時層毎に印刷数をカウントし、印刷日時層毎の印刷数からなる広告実績を生成する広告実績集計部と、
（２０）生成した広告実績を出力する広告実績出力部を有することを特徴とする。
【００２６】
収集した印刷サービス履歴を印刷日時層別条件により層別するので、印刷日時の特性に従って広告実績を集計できる。
【００２７】
前記印刷機は、更に、
（チ）前記印刷動作制御部による印刷動作の制御に係る印刷サービス履歴を記憶するための印刷サービス履歴記憶部を有し、
前記印刷動作制御部は、前記印刷させた広告画像を特定した適応広告ＩＤを印刷広告ＩＤとし、当該印刷広告ＩＤを含む印刷サービス履歴を生成し、当該印刷サービス履歴を印刷サービス履歴記憶部に記憶させ、
前記印刷機は、更に、
（リ）印刷サービス履歴記憶部から印刷サービス履歴を読み取り、当該印刷サービス履歴を前記広告制御サーバに送信する印刷サービス履歴送信部を有し、
前記広告制御サーバは、更に、
（１６）前記印刷機から収集した印刷サービス履歴を、当該印刷機のＩＤに対応付けて記憶するための収集印刷サービス履歴記憶部と、
（１７）前記印刷機から印刷サービス履歴を受信し、当該印刷機のＩＤに対応付けて当該印刷サービス履歴を収集印刷サービス履歴記憶部に記憶させる印刷サービス履歴受信部を有することを特徴とする。
【００２８】
印刷機を特定して印刷サービス履歴を収集するので、広告と当該広告を印刷した印刷機の関係を広告制御サーバ側で把握できる。
【００２９】
前記広告制御サーバは、更に、
（１５）印刷機の設置に係る特性あるいは印刷機の機能に係る特性である印刷機特性を記憶する印刷機管理テーブルと、
（１８）印刷機特性によって印刷機を層別するための印刷機層別条件を含む広告実績集計条件を受け付ける広告実績集計条件受付部と、
（１９）前記収集印刷サービス履歴記憶部に記憶している印刷サービス履歴毎に、前記収集印刷サービス履歴記憶部で当該印刷サービス履歴に対応付けられている印刷機ＩＤに対応する印刷機特性を印刷機管理テーブルから読み取り、受け付けた広告実績集計条件に含まれる印刷機層別条件に当該印刷機特性が適合するか否かにより印刷機層毎に印刷数をカウントし、印刷機層毎の印刷数からなる広告実績を生成する広告実績集計部と、
（２０）生成した広告実績を出力する広告実績出力部を有することを特徴とする。
【００３０】
収集した印刷サービス履歴を印刷機層別条件により層別するので、印刷機の特性に従って広告実績を集計できる。
【００３１】
前記印刷機はコピー機であって、
前記印刷動作制御部は、コピー機に対する操作に従って、スキャンコマンドを発行するスキャン指示部と、発行されたスキャンコマンドに従って、原稿の画像イメージを読み取るスキャン動作を制御するスキャン機構制御部と、読み取ったスキャン画像と広告画像を含む印刷画像を生成する印刷画像生成部と、生成した印刷画像を記憶する印刷画像メモリと、印刷画像メモリに記憶している印刷画像を用紙に印刷するプリント動作を制御するプリント機構制御部を有することを特徴とする。
【００３２】
本発明に係る広告制御サーバは、
印刷サービスコードを出力可能な携帯電話と、当該携帯電話から印刷サービスコードを受け付け可能な印刷機とにネットワークを介して接続可能な広告制御サーバであって、
（１）許可コードを記憶する許可コード管理テーブルと、
（２）前記携帯電話からユーザ認証情報を受信して、ユーザ認証を行なうユーザ認証部と
、
（３）前記印刷機に記憶している広告画像ファイルを識別する配信広告ＩＤ群を記憶する配信広告テーブルと、
（４）配信広告テーブルで記憶している配信広告ＩＤ群のうちいずれかを、適応広告ＩＤと判定する適応広告判定部と、
（５）許可コード管理テーブルで記憶している許可コードと、前記適応広告ＩＤとを含む印刷サービスコードを生成する印刷サービスコード生成部と、
（６）ユーザ認証が成功した場合に、生成した印刷サービスコードを前記携帯電話に返信する印刷サービスコード返信部を有することを特徴とする。
【００３３】
本発明に係る印刷機は、
携帯電話からの印刷サービスコードを受け付け可能な印刷機であって、
（イ）許可コードを記憶する許可コード記憶部と、
（ロ）広告画像ファイル群を記憶する広告画像ファイル記憶部と、
（ハ）前記携帯電話から許可コードと適応広告ＩＤとを含む印刷サービスコードを受け付ける印刷サービスコード受付部と、
（ニ）受け付けた印刷サービスコードに含まれる許可コードが、許可コード記憶部に記憶している許可コードと一致する場合に、当該印刷サービスコードが適正と判定する許可コード判定部と、
（ホ）当該印刷サービスコードが適正と判定した場合に、前記受け付けた印刷サービスコードに含まれる適応広告ＩＤにより特定される広告画像ファイルを広告画像ファイル記憶部から読み取り、原稿から読み取ったスキャン画像に当該広告画像ファイルから得られる広告画像を付して印刷する動作を制御する印刷動作制御部を有することを特徴とする。
【００３４】
前記印刷機はコピー機であって、
前記印刷動作制御部は、コピー機に対する操作に従って、スキャンコマンドを発行するスキャン指示部と、発行されたスキャンコマンドに従って、原稿の画像イメージを読み取るスキャン動作を制御するスキャン機構制御部と、読み取ったスキャン画像と広告画像を含む印刷画像を生成する印刷画像生成部と、生成した印刷画像を記憶する印刷画像メモリと、印刷画像メモリに記憶している印刷画像を用紙に印刷するプリント動作を制御するプリント機構制御部を有することを特徴とする。
【００３５】
本発明に係るプログラムは、
許可コードを記憶する許可コード管理テーブルと、広告画像ファイルを識別する配信広告ＩＤ群を記憶する配信広告テーブルを有し、印刷サービスコードを出力可能な携帯電話と、当該携帯電話から印刷サービスコードを受け付け可能な印刷機とにネットワークを介して接続可能な広告制御サーバとなるコンピュータに、以下の手順を実行させることを特徴とする
（１）前記携帯電話からユーザ認証情報を受信して、ユーザ認証を行なうユーザ認証処理（２）配信広告テーブルで記憶している配信広告ＩＤ群のうちいずれかを、適応広告ＩＤと判定する適応広告判定処理
（３）許可コード管理テーブルで記憶している許可コード、と前記適応広告ＩＤとを含む印刷サービスコードを生成する印刷サービスコード生成処理
（４）ユーザ認証が成功した場合に、生成した印刷サービスコードを前記携帯電話に返信する印刷サービスコード返信処理。
【発明の効果】
【００３６】
本発明によれば、コピーサービス実行の前に、予め携帯電話から広告制御サーバにログインしてユーザ認証を受けた上で、印刷サービスコードを取得し、実際にコピーサービスを受ける段階でこの印刷サービスコードを携帯電話からコピー機に提示することにより、ユーザ認証の操作が省かれ、更にユーザに適した広告がすでに選ばれている状態になるので、特定ユーザに対するコピーサービスの提供を円滑に行なうとともに、適性の高い広告を提供することにより広告の効率を向上させることができる。
【００３７】
また、印刷サービスコードに含まれているユーザＩＤをコピーサービス履歴に登録することにより、詳細な広告の実績を集計することができる。
【発明を実施するための最良の形態】
【００３８】
実施の形態１．
図１は、本発明に係るネットワーク環境を示す図である。広告制御サーバ１０１は、インターネット、専用回線あるいは電話回線（サーバコピー機間ネットワークの例）を介してコピー機１０２と接続している。また、広告制御サーバ１０１は、インターネット（サーバユーザ端末間ネットワークの例）を介して携帯電話１０３（ユーザ端末の例）と接続している。広告制御サーバ１０１は、インターネット（サーバ広告主端末間ネットワークの例）を介して広告主ＰＣ１０４（広告主端末の例）と接続している。携帯電話１０３と広告主ＰＣ１０４は、それぞれブラウザを有している。
【００３９】
また、携帯電話１０３は、コピーサービスコードを出力するコピーサービスコード出力装置を有し、コピー機１０２は、携帯電話１０３からのコピーサービスコードを受け付けるコピーサービスコード受付装置を有している。
【００４０】
この例では、携帯電話１０３とコピー機１０２は、互いに短距離通信を行なう短距離通信インターフェース部を有している。短距離通信としては、例えば、電波、電磁波、又は赤外線等の無線通信が考えられる。また、携帯電話１０３とコピー機１０２は、バーコード（二次元バーコードを含む）を利用してコピーサービスコードを授受できるようになっていてもよい。
【００４１】
コピー機１０２は、印刷機の例である。印刷機の他の例としては、単体としてのプリンタを用いる形態や、プリンタとコンピュータと組み合わせて、接続されたプリンタとコンピュータからなる印刷システムの形態なども考えられる。
【００４２】
この例では、コピー機１０２は、大学の敷地内やコンビニエンスストア等で運用されるコピーサービス（印刷機管理者がユーザに印刷機の利用させる印刷サービスの例）で使用されることを想定している。また、ユーザは、特定の会（組合やポータルサイトなど）の会員として登録されていることを前提としている。
【００４３】
広告制御サーバ１０１は、広告主から依頼された広告画像をコピー機１０２に配信する。コピー機１０２はユーザの操作によりコピーする際に、スキャン画像を縮小し、所定の位置に配置するとともに、広告画像をスキャン画像と重複しない位置に配置して印刷する。なお、スキャン画像を縮小せず、広告画像を余白に印刷する場合もある。これにより、ユーザに対する広告効果が発揮される。図２は、スキャン画像を縮小した場合における印刷画像の例を示す図である。図に示すように、印刷画像は、スキャン画像２０１と広告画像２０２から構成される。
【００４４】
続いて、動作の概要について説明する。図３は、各フェーズにおける主なデータフローを示す図である。広告画像配信フェーズ３０１では、広告制御サーバ１０１でコピー機１０２に適した広告画像を選択してそのファイルを配信するとともに、コピー機１０２を使用する際に用いるコピーサービスコード（印刷サービスコードの例）の正当性を判定するための許可コードを配信する。コピーサービスコード発行フェーズ３０２では、コピーサービスを利用しようとするユーザが携帯電話１０３から広告制御サーバ１０１にログインし、使用するコピー機１０２を選択し、当該コピー機１０２に提示するコピーサービスコードを予め取得する。コピーサービス実行フェーズ３０３では、携帯電話１０３からコピー機１０２にコピーサービスコードを転送して、コピー機１０２により正当性が認められた場合に、コピー機１０２によるコピー動作が実行される。その際に、コピー機１０２は、コピーサービスに関する履歴情報を蓄積する。そして広告制御サーバ１０１は、コピーサービス履歴収集フェーズ３０４で、各コピー機１０２からコピーサービス履歴を収集し、広告実績報告フェーズ３０５で、広告に関する実績を集計し、広告主ＰＣ１０４に報告する。
【００４５】
各フェーズの関係について説明する。図４は、各フェーズの構成を示す図である。コピーサービス提供単位４０２は、コピー機１０２を管理する業者（生活協同組合やコンビニエンス店舗）がコピーサービスを提供する期間である。例えば、開店から閉店までの営業時間帯に相当する。ユーザは、コピーサービス提供単位４０２の間にコピーサービスコード発行フェーズ３０２でコピーサービスコードを取得して、コピーサービス実行フェーズ３０３でコピーサービスを受ける。広告画像配信フェーズ３０１は、コピーサービス提供単位４０２の前処理として例えば開店前に実行される。また、コピーサービス履歴収集フェーズ３０４は、コピーサービス提供単位４０２の後処理として例えば閉店後に実行される。コピーサービス管理単位４０３は、広告制御サーバ１０１による広告画像の配信からコピーサービス履歴の収集までの１回の配信に係る処理が完結する期間である。例えば、営業日の１日に相当する。広告実績報告フェーズ３０５は、コピーサービス管理単位４０３が繰り返された結果得られる実績を取りまとめて報告する。以下、広告画像配信フェーズ３０１から広告実績報告フェーズ３０５まで順に説明する。
【００４６】
まず、広告画像配信フェーズ３０１について説明する。
【００４７】
図５は、広告制御サーバ１０１のうち広告画像配信フェーズ３０１に係る構成を示す図である。広告制御サーバ１０１は、図に示すように広告管理テーブル５０１（図６）、コピー機管理テーブル５０２（図７）、配信広告選択部５０３、配信広告テーブル５０４（図８）、許可コード生成部５０５、広告画像配信開始通知部５０６、広告画像ファイル蓄積部５０７、広告画像送信部５０８、許可コード送信部５０９、及び許可コード管理テーブル５１０（図１０）を有している。
【００４８】
広告管理テーブル５０１は、各広告に関する情報を管理するためのテーブルである。図６は、広告管理テーブル５０１の構成例を示す図である。本テーブルは、広告主から依頼された広告毎にレコード６５１〜６５４を設け、広告ＩＤ６０１と、広告名６０２と、コピー機適応条件６０３と、ユーザ適応条件６０４と、オーダー枚数６０５と、残枚数６０６と、広告画像ファイル名６０７と、広告主ＩＤ６０８の項目を対応付けて記憶するように構成されている。オーダー枚数６０５は、広告主から要求された印刷数である。残枚数６０６は、オーダー枚数のうち現時点でまだ印刷されていない数である。広告画像ファイル名６０７は、広告ＩＤ６０１にファイル種別を示す拡張子を付すことにより特定できるようになっている。
【００４９】
広告制御サーバ１０１は、更に、広告主ＩＤと広告主である会社名と会社に関する情報等を対応付けて記憶する広告主管理テーブル（図示せず）を有している。広告制御サーバ１０１は、このテーブルを用いて広告主ＩＤ６０８から広告主を特定することができる。
【００５０】
図７は、コピー機管理テーブル５０２の構成例を示す図である。コピー機管理テーブル５０２は、各コピー機１０２に関する情報を管理するためのテーブルである。具体的には、本テーブルは、コピー機１０２毎にレコード７５１〜７５３を設け、コピー機ＩＤ７０１と、設置エリアＩＤ７０２と、設置場所７０３と、設置施設７０４と、色タイプ７０５と、
電話番号７０６と、ＩＰアドレス７０７等の項目を対応付けて記憶するように構成されている。設置場所３０３は、住所で記述するほか、緯度経度で記述しても構わない。電話番号７０６とＩＰアドレス７０７は、コピー機１０２と通信する際に通信相手を特定するコピー機アドレスの例である。設置エリアＩＤ７０２は、設置位置３０２を含む所定のエリアを特定する情報である。
【００５１】
設置場所７０３と設置施設７０４と色タイプ７０５は、コピー機の特性を示す情報の例である。設置場所７０３と設置施設７０４は設置に係る特性の例であり、色タイプ７０５は、コピー機の機能に係る特性の例である。
【００５２】
広告制御サーバ１０１は、エリア管理テーブル（図示せず）を有している。エリア管理テーブルは、エリア毎のエリア範囲を定めるテーブルであり、エリア毎にレコードを設け、設置エリアＩＤとエリア範囲の項目を対応付けて記憶するように構成されている。エリア範囲は、住所で記述するほか、緯度経度で記述しても構わない。このエリア管理テーブルを用いてコピー機の設置されているエリアを特定することができる。
【００５３】
図５に示されるように、配信広告選択部５０３は、広告管理テーブル５０１（図６）とコピー機管理テーブル５０２（図７）に基づいてコピー機１０２毎に配信する広告画像を選択するように動作する。
【００５４】
配信広告テーブル５０４は、コピー機１０２に配信する広告を管理するテーブルである。図８は、配信広告テーブル５０４の構成例を示す図である。配信広告テーブル５０４では、各コピー機１０２の各配信バージョンにおいて配信した広告が管理されている。具体的には、本テーブルは、配信対象となるコピー機１０２の配信バージョン毎にレコード８５１〜８５６を設け、コピー機ＩＤ８０１と、配信バージョンＩＤ８０２と、配信広告ＩＤ群８０３の項目を対応付けて記憶するように構成されている。
【００５５】
許可コード生成部５０５は、コピー機１０２毎に当該配信バージョンで用いる許可コード群を生成するように動作する。図９は、許可コード群の構成例を示す図である。許可コード９０１は、コピー機ＩＤ９０２と配信バージョン９０３と乱数コード９０４を連結した情報である。図中の各レコード９５１〜９５３が許可コード９０１である。
【００５６】
図５に示されるように、広告画像配信開始通知部５０６は、配信対象となるコピー機１０２とコネクションを確立させるように動作する。
【００５７】
広告画像ファイル蓄積部５０７には、広告画像ファイル名６０７に対応する広告画像ファイルが記憶されている。広告画像ファイルには、用紙に付される広告の画像が記憶されている。この画像は、展開されたイメージデータの形式の他、文字列データ形式、図形データ形式、写真データ形式、あるいはこれらの任意の組み合わせなどいずれの形態で構成されていてもよい。
【００５８】
広告画像送信部５０８は、コピー機１０２に対して広告画像ファイル群を送信するように動作する。
【００５９】
許可コード送信部５０９は、コピー機１０２に対して許可コード群を送信するように動作する。
【００６０】
許可コード管理テーブル５１０は、許可コード群１０５１〜１０５６を管理するテーブルである。図１０は、許可コード管理テーブル５１０の構成例を示す図である。各許可コード１００２に対して使用フラグ１００１を付加している。使用フラグ１００１は、使用（ＯＮ）と未使用（ＯＦＦ）を区別する。
【００６１】
これらの構成による処理について説明する。図１１は、広告制御サーバ１０１による広告画像配信フェーズ３０１の処理フローを示す図である。まず、配信バージョンを特定する（Ｓ１１０１）。配信バージョンは、広告画像配信フェーズ３０１の都度新たなバージョンが割り当てられる。通常は連番で付される。配信バージョンにより図４に示したコピーサービス管理単位４０３を特定することができる。
【００６２】
そして、配信対象となるコピー機１０２毎に以下の処理を繰り返す（Ｓ１１０２）。配信対象となるコピー機１０２は、コピー機管理テーブル５０２（図７）の各レコードにより特定される。
【００６３】
配信広告選択部５０３による配信広告選択処理（Ｓ１１０３）で、配信する広告画像を特定する。その際、当該コピー機１０２のコピー機特性（図７参照）が、広告毎に定められているコピー機適応条件（図６参照）に適合する場合に、その広告を当該コピー機１０２に配信する広告に採用する。
【００６４】
この配信広告選択処理（Ｓ１１０３）の詳細について説明する。図１２は、配信広告選択処理（Ｓ１１０３）のフローを示す図である。まずコピー機管理テーブル５０２（図
７）より当該コピー機ＩＤに対応するコピー機特性を読み取る（Ｓ１２０１）。そして広告管理テーブル５０１（図６）のレコード（広告に相当）毎に以下の処理を繰り返す（Ｓ１２０２）。広告管理テーブル５０１より当該広告ＩＤに対応するコピー機適応条件を読み込み（Ｓ１２０３）、コピー機特性がコピー機適応条件に適合するか判定する（Ｓ１２０４）。そして、適合する場合に当該広告ＩＤを配信広告ＩＤとする（Ｓ１２０５）。適合しない場合には配信広告ＩＤとしない。この判定をすべての広告について処理した時点で（Ｓ１２０６）、コピー機ＩＤと配信バージョンと配信広告ＩＤ群を配信広告テーブル５０４（図８）に書き込む（Ｓ１２０７）。
【００６５】
例えば、コピー機管理テーブル５０２（図７）のレコード７５１（コピー機ＩＤ：ＣＰ００１）のコピー機特性「設置場所：東京都文京区・・・」「設置施設：大学」「色タイプ：カラー」を読み取る。そして、広告管理テーブル５０１（図６）のレコード６５１から６５４の順に処理を行なう。レコード６５１（広告ＩＤ：ＣＭ００１）のコピー機適応条件は「設置場所＝"東京都品川区＊"」であるので適合せずに配信広告ＩＤとならない。従って、配信広告テーブル５０４（図８）のレコード８５４（コピー機ＩＤ：ＣＰ００１、配信バージョン：Ｖ００２）の配信広告ＩＤ群に「ＣＭ００１」は含まれない。これに対しレコード６５２（広告ＩＤ：ＣＭ００２）のコピー機適応条件は「設置場所＝"東京都文京区＊"」であるので適合し配信広告ＩＤとなる。従って、配信広告テーブル５０４（図８）の同レコード８５４の配信広告ＩＤ群に「ＣＭ００２」が含まれる。
【００６６】
許可コード生成部５０５による許可コード生成処理（Ｓ１１０４）では、重複しないように許可コード群を生成する。他のコピー機１０２に対する許可コードと重複せず、更に他の配信バージョンとも重複しないようにする。その為、この例では乱数コードにコピー機ＩＤと配信バージョンを付加して許可コードとしている。
【００６７】
この許可コード生成処理（Ｓ１１０４）の詳細について説明する。図１３は、許可コード生成処理（Ｓ１１０４）のフローを示す図である。生成する許可コードの数分以下の処理を繰り返す（Ｓ１３０１）。許可コードの生成数として、例えばコピーサービス提供単位４０２に含まれるコピーサービス単位４０１の予想最大数を予め設定しておく。そして、乱数コードを生成し（Ｓ１３０２）、乱数コードに当該コピー機と当該配信バージョンを付加して、許可コードとする（Ｓ１３０３）。生成数分の処理を終えた時点で終了する（Ｓ１３０４）。生成された許可コード群は、使用フラグ（初期値ＯＦＦ：未使用）に対応付けて許可コード管理テーブル５１０（図１０）に格納される。
【００６８】
広告画像配信開始通知部５０６による広告画像配信開始通知処理（Ｓ１１０５）では、コピー機１０２に対して配信開始通知を送信し、コピー機１０２からの応答通知を受信した時点でコネクションが確立したと判断する。
【００６９】
広告画像送信部５０８による広告画像送信処理（Ｓ１１０６）では、配信広告選択部５０３で選択された配信広告ＩＤ毎に対応する広告画像ファイルを広告画像ファイル蓄積部５０７から読み出し、そのファイル名をコピー機１０２に送信する。
【００７０】
許可コード送信部５０９による許可コード送信処理（Ｓ１１０７）では、許可コード生成部５０５で生成した許可コード群をコピー機１０２に送信する。
【００７１】
すべてのコピー機についてＳ１１０３〜Ｓ１１０７を処理した時点で終了する（Ｓ１１０８）。
【００７２】
他方コピー機１０２では、配信される広告画像ファイル群と許可コード群を受信して蓄える。図１４は、コピー機１０２のうち広告画像配信フェーズ３０１に係る構成を示す図である。コピー機１０２は、広告画像配信開始応答部１４０１、広告画像受信部１４０２、広告画像ファイル記憶部１４０３、許可コード受信部１４０４、及び許可コード記憶部１４０５を有している。
【００７３】
広告画像配信開始応答部１４０１は、広告制御サーバ１０１からの要求に応じてコネクションを確立させるように動作する。
【００７４】
広告画像受信部１４０２は、広告制御サーバ１０１から広告画像ファイル群を受信し、広告画像ファイル記憶部１４０３に記憶させるように動作する。
【００７５】
許可コード受信部１４０４は、広告制御サーバ１０１から許可コード群を受信し、許可コード記憶部１４０５に記憶させるように動作する。
【００７６】
これらの構成による処理について説明する。図１５は、コピー機１０２による広告画像配信フェーズ３０１の処理フローを示す図である。広告画像配信開始応答部１４０１は、広告画像配信開始応答処理（Ｓ１５０１）で、広告制御サーバ１０１から配信開始通知を受信すると、広告制御サーバ１０１に応答通知を返信する。これによりコネクションが確立する。広告画像受信部１４０２は、広告画像受信処理（Ｓ１５０２）で広告画像ファイル群を受信し、広告画像記憶処理（Ｓ１５０３）でその広告画像ファイル群を広告画像ファイル記憶部１４０３に記憶させる。許可コード受信部１４０４は、許可コード受信処理（Ｓ１５０４）で許可コード群を受信し、許可コード記憶処理（Ｓ１５０５）でその許可コード群を許可コード記憶部１４０５に記憶させる。
【００７７】
これにより広告画像配信フェーズ３０１を終了する。次に、コピーサービスコード発行フェーズ３０２について説明する。
【００７８】
コピーサービスを受けようとするユーザは、ユーザが所持する携帯電話１０３から広告制御サーバ１０１にアクセスして、コピー機１０２に提示するコピーサービスコードを予め取得しておかなければならない。広告制御サーバ１０１は、その為にユーザを認証し、ユーザに使用するコピー機を選択させ、当該ユーザに適応する広告を選択し、許可コードを割り当て、許可コードとユーザＩＤと適応広告ＩＤ群からなるコピーサービスコードを携帯電話１０３に返信する。尚、許可コードは、コピー機１０２におけるコピーサービスコードの適正の判断に用いられ、ユーザＩＤは、コピーサービスの履歴として蓄積され、適応広告ＩＤ群は印刷する広告を特定する役割を果たす。
【００７９】
図１６は、広告制御サーバ１０１のうちコピーサービスコード発行フェーズ３０２に係る構成を示す図である。広告制御サーバ１０１は、図５で既に説明した広告管理テーブル５０１（図６）、コピー機管理テーブル５０２（図７）、配信広告テーブル５０４（図８）、及び許可コード管理テーブル５１０（図１０）の他に、会員情報管理テーブル１６０１（図１７）、ユーザ認証部１６０２、コピー機特定部１６０３、適応広告判定部１６０４、許可コード割当部１６０５、コピーサービスコード生成部１６０６、及びコピーサービスコード返信部１６０７を有している。
【００８０】
会員情報管理テーブル１６０１（図１７）は、ユーザの会員としての情報を管理するテーブルである。図１７は、会員情報管理テーブル１６０１の構成例を示す図である。本テーブルは、会員（ユーザ）毎にレコード１７５１〜１７５４を設け、ユーザＩＤ１７０１と、会員パスワード１７０２と、氏名１７０３と、性別１７０４と、年齢１７０５と、住所１７０６と、職業１７０７等の個人情報の項目を対応付けて記憶するように構成されている。このように会員情報管理テーブル１６０１は、個人情報として特定の会の会員として登録された会員情報を記憶しており、ユーザ毎に個人情報を記憶する個人情報管理テーブルの例である。
【００８１】
ユーザ認証部１６０２は、広告制御サーバ１０１におけるユーザの認証を行ない、ユーザＩＤを特定するように動作する。
【００８２】
コピー機特定部１６０３は、ユーザに使用するコピー機を選択させるように動作する。
【００８３】
適応広告判定部１６０４は、当該ユーザが選択したコピー機１０２を使用する状況において適応する広告を判定するように動作する。
【００８４】
許可コード割当部１６０５は、選択されたコピー機１０２に予め配信されている許可コードのうち未使用のものを選択するように動作する。
【００８５】
コピーサービスコード生成部１６０６は、許可コードとユーザＩＤ１８０２と適応広告ＩＤ群を含むコピーサービスコードを生成するように動作する。
【００８６】
図１８は、コピーサービスコードの構成例を示す図である。コピーサービスコードは、許可コード１８０１、ユーザＩＤ１８０２、及び適応広告ＩＤ群１８０３から構成されている。
【００８７】
コピーサービスコード返信部１６０７は、生成したコピーサービスコードを携帯電話１０３に送信するように動作する。
【００８８】
これらの構成による処理の詳細について説明する。図１９は、広告制御サーバ１０１によるコピーサービスコード発行フェーズ３０２の処理フローを示す図である。
【００８９】
ユーザ認証部１６０２によるユーザ認証処理（Ｓ１９０１）では、ユーザＩＤと会員パスワードの入力を促すログイン画面を携帯電話１０３に送信し、携帯電話１０３からユーザＩＤと会員パスワードを受信する。そして、受信したユーザＩＤと会員パスワードが会員情報管理テーブル１６０１（図１７）の各レコードで記憶しているユーザＩＤと会員パスワードのいずれかの組み合わせと一致する場合に、ユーザ認証成功と判定する。いずれとも一致しない場合には、ユーザ認証失敗と判定する。ユーザ認証成功の場合のみＳ１９０２以降の処理を継続する。ユーザ認証失敗の場合にはＳ１９０２以降の処理を継続しない。尚、ユーザＩＤと会員パスワードは、ユーザの正当性を判定するためのユーザ認証情報の例である。
【００９０】
コピー機特定部１６０３によるコピー機特定処理（Ｓ１９０２）では、コピー機管理テーブル５０２（図７）の各レコードのコピー機特性（例えば設置場所、設置施設、及び色タイプ）を列挙し、コピー機の選択を促すコピー機リストを携帯電話１０３に送信し、携帯電話１０３からコピー機の選択を受け付ける。そして、選択されたコピー機の特性に対応するコピー機ＩＤを特定する。
【００９１】
適応広告判定部１６０４による適応広告判定処理（Ｓ１９０３）について詳述する。図２０は、適応広告判定処理（Ｓ１９０３）のフローを示す図である。まず、会員情報管理テーブル１６０１（図１７）からユーザＩＤに対応する会員情報を読み取る（Ｓ２００１）。次に、配信広告テーブル５０４（図８）からコピー機ＩＤ１０２に対応する最新の配信バージョンの配信広告ＩＤ群を読み取る（Ｓ２００２）。そして、配信広告ＩＤ毎に以下の処理を繰り返す（Ｓ２００３）。広告管理テーブル５０１（図６）から、当該配信広告ＩＤに対応するユーザ適応条件を読み取り（Ｓ２００４）、当該ユーザの会員情報がそのユーザ適応条件に適合するか判定する（Ｓ２００５）。適合する場合に、当該配信広告ＩＤを適応広告ＩＤとする（Ｓ２００６）。適合しない場合には、当該配信広告ＩＤを適応広告ＩＤとしない。すべての配信広告ＩＤについて処理した時点で終了する（Ｓ２００７）。これにより、適応広告ＩＤ群が得られる。
【００９２】
例えば、ユーザＩＤ：ＵＳ０００１のユーザがコピー機ＩＤ：ＣＰ００２を特定した場合を想定すると、まず会員情報管理テーブル１６０１（図１７）のレコード１７５１（ユーザＩＤ：ＵＳ０００１）から会員情報として「氏名：○○○雄」「性別：男」「年齢：３４」「住所：埼玉県・・・」「職業：大学職員」を読み取る。次に配信広告テーブル５０４（図８）のレコード８５５（コピー機ＩＤ：ＣＰ００２、配信バージョン：Ｖ００２）から配信広告ＩＤ「ＣＭ００１」「ＣＭ００３」・・・を読み取り、順に処理する。広告管理テーブル５０１（図６）のレコード６５１（広告ＩＤ：ＣＭ００１）のユーザ適応条件は「性別＝"男"」であるので適合する。従って、コピーサービスコード（図１８）の適応広告ＩＤに「ＣＭ００１」が含まれる。一方レコード６５３（広告ＩＤ：ＣＭ００３）のユーザ適応条件は「職業＝"学生"」であるので適合しない。従ってコピーサービスコードの適応広告ＩＤに「ＣＭ００３」は含まれない。
【００９３】
許可コード割当部１６０５による許可コード割当処理（Ｓ１９０４）では、許可コード管理テーブル５１０（図１０）の各レコードから当該コピー機ＩＤを含むレコードを判定し、そのうち使用フラグがＯＦＦ（未使用）のレコードを特定する。そして、そのレコードの許可コードを特定する。また、そのレコードの使用フラグをＯＮ（使用済）に更新する。
【００９４】
コピーサービスコード生成部１６０６によるコピーサービスコード生成処理（Ｓ１９０５）では、許可コード割当処理（Ｓ１９０４）で特定された許可コードと、ユーザ認証処理（Ｓ１９０１）で特定されたユーザＩＤと、適応広告判定処理（Ｓ１９０３）で特定された適応広告ＩＤ群を連結してコピーサービスコード（図１８）を生成する。
【００９５】
コピーサービスコード返信部１６０７によるコピーサービスコード返信処理（Ｓ１９０６）では、携帯電話１０３に生成したコピーサービスコードを返信する。
【００９６】
他方携帯電話１０３では、広告制御サーバ１０１から返信されたコピーサービスコードを受信し、蓄える。
【００９７】
図２１は、携帯電話１０３のうちコピーサービスコード発行フェーズ３０２とコピーサービスコード実行フェーズ３０３に係る構成を示す図である。携帯電話１０３は、コピーサービスコード受信部２１０１、コピーサービスコード記憶部２１０２、及びコピーサービスコード出力部２１０３を有している。コピーサービスコード受信部２１０１は、コピーサービスコードを受信するコピーサービスコード受信処理を行ない、更にコピーサービスコード記憶部２１０２に記憶させるコピーサービスコード記憶処理を行なう。コピーサービスコード出力部２１０３についてはコピーサービスコード実行フェーズ３０３の説明で述べる。
【００９８】
これにより、コピーサービスコード発行フェーズ３０２を終了する。次に、コピーサービス実行フェーズ３０３について説明する。
【００９９】
図２２は、コピー機１０２のうちコピーサービス実行フェーズ３０３に係る構成を示す図である。コピー機１０２は、既に図１４で説明した広告画像ファイル記憶部１４０３及び許可コード記憶部１４０５の他に、コピーサービスコード受付部２２０１、コピーサービスコード記憶部２２０２、許可コード判定部２２０３、複写動作制御部２２０４、及びコピーサービス履歴記憶部２２０５（図２３）を有している。
【０１００】
コピーサービスコード受付部２２０１は、携帯電話１０３から短距離通信により、コピーサービスコードを受け付けるように動作する。
【０１０１】
コピーサービスコード記憶部２２０２は、受信したコピーサービスコードをコピーサービス実行フェーズ３０３の間保持する。
【０１０２】
許可コード判定部２２０３は、コピーサービスコードに含まれる許可コードが適正であるか判定するように動作する。
【０１０３】
複写動作制御部２２０４は、コピー機１０２の操作部で受け付ける操作に従って、コピーサービスコードに含まれる適応広告ＩＤに対応する広告画像を付したコピーを行ない、更にコピーサービス履歴を記録するように動作する。コピーサービス履歴は、ユーザＩＤと印刷日時と印刷広告ＩＤ（群）を含んでいる。
【０１０４】
コピーサービス履歴記憶部２２０５は、このコピーサービス履歴を蓄積する。図２３は、コピーサービス履歴記憶部２２０５を示す図である。本テーブルは、実行したコピーサービス毎にレコード２３５１〜２３５３を設け、ユーザＩＤ２３０１と、印刷日時２３０２と、印刷広告ＩＤ群２３０３の項目を対応付けて記憶するように構成されている。図中ＥＮＤコードの前までが有効な印刷広告ＩＤである。
【０１０５】
これらの構成による処理について詳述する。図２４は、コピー機１０２によるコピーサービス実行フェーズ３０３の処理フローを示す図である。
【０１０６】
コピーサービスコード受付部２２０１によるコピーサービスコード受付処理（Ｓ２４０１）では、携帯電話１０３からコピーサービスコードを提示することを促すコピーサービスコード受付画面をコピー機１０２の操作部の表示画面に表示する。
【０１０７】
ユーザをこの受付画面の要求に従って、携帯電話１０３を操作してコピーサービスコードをコピー機１０２に読み込ませる。その際、携帯電話１０３の操作部からコピーサービスコード出力指示を入力し、図２１に示したコピーサービスコード出力部２１０３でコピーサービスコード記憶部２１０２からコピーサービスコードを読み取り、コピーサービスコードを出力するコピーサービスコード出力処理を行なう。出力の形態は、例えば、短距離通信による送信である。
【０１０８】
コピーサービスコード受付部２２０１によるコピーサービスコード受付処理（Ｓ２４０１）では、携帯電話１０３からコピーサービスコードを入力し、コピーサービスコード受付部２２０１によるコピーサービスコードをコピーサービスコード記憶部２２０２に記憶させるコピーサービスコード記憶処理（Ｓ２４０２）を行なう。入力の形態は、例えば、短距離通信による受信である。
【０１０９】
許可コード判定部２２０３による許可コード判定処理（Ｓ２４０３）では、コピーサービスコードに含まれる許可コードが許可コード記憶部１４０５に記憶しているいずれかの許可コードと一致する場合に、適正なコピーサービスコードと判定する。
【０１１０】
図２５は、許可コード判定処理（Ｓ２４０３）のフローを示す図である。まず、コピーサービスコード記憶部２２０２で記憶しているコピーサービスコードから許可コードを読み取る（Ｓ２５０１）。そして、許可コード記憶部１４０５のレコード毎に以下の処理を繰り返す（Ｓ２５０２）。コピーサービスコード中の許可コードが、当該レコードの許可コードと一致するか判定し（Ｓ２５０３）、一致する場合に適正と判定する（Ｓ２５０６）。いずれのレコードにおいても一致せずに、すべてのレコードについて処理を終えた場合には（Ｓ２５０４）、終了ステータスを不適と判定する（Ｓ２５０５）。
【０１１１】
図２４に示すように、許可コード判定処理（Ｓ２４０３）で適正と判定された場合に、複写動作制御処理（Ｓ２４０４）を行なう。不適と判定された場合には、複写動作制御処理（Ｓ２４０４）を行なわない。
【０１１２】
続いて、複写動作制御部２２０４による複写動作制御処理（Ｓ２４０４）について詳述する。図２６は、複写動作制御部２２０４の構成を示す図である。複写動作制御部２２０４は、コピー条件受付部２６０１、コピー条件記憶部２６０２、スキャン指示部２６０３、スキャン機構制御部２６０４、スキャン画像メモリ２６０５、給紙トレイ検知部２６０６、給紙トレイ判定部２６０７、印刷広告特定部２６０８、印刷画像生成部２６０９、印刷画像メモリ２６１０、プリント指示部２６１１、プリント機構制御部２６１２、及びコピーサービス履歴登録部２６１３を有している。
【０１１３】
コピー条件受付部２６０１は、操作部の画面にコピー条件受付画面を表示し、操作部に対する入力によりコピー条件を取得し、コピー条件記憶部２６０２に記憶させるように動作する。
【０１１４】
コピー条件記憶部２６０２は、受け付けたコピー条件を記憶するように構成されている。
【０１１５】
スキャン指示部２６０３は、スキャン機構制御部２６０４に対してスキャンコマンドを発行するように構成されている。
【０１１６】
スキャン機構制御部２６０４は、スキャンコマンドに従ってスキャン機構（図示せず）を制御し、読み取ったスキャン画像をスキャン画像メモリ２６０５に記憶させるように構成されている。
【０１１７】
スキャン画像メモリ２６０５は、スキャン動作により読み取ったスキャン画像を記憶するように構成されている。
【０１１８】
給紙トレイ検知部２６０６は、コピー機１０２が有する給紙トレイから格納されている用紙サイズと用紙の有無を検知するように構成されている。
【０１１９】
給紙トレイ判定部２６０７は、コピー条件記憶部２６０２のコピー条件である用紙サイズと給紙トレイ検知部２６０６の検知結果に基づいて、印刷の際に給紙するトレイを判定するように動作する。
【０１２０】
印刷広告特定部２６０８は、図２２に示したようにコピーサービスコード記憶部２２０２から読み取った適応広告ＩＤ群から印刷する広告のＩＤを特定するように動作する。
【０１２１】
印刷画像生成部２６０９は、例えば、図２に示したようにスキャン画像を縮小して印刷画像メモリ２６１０の印刷画像に展開するとともに、印刷広告ＩＤに対応する広告画像を展開するように動作する。
【０１２２】
印刷画像メモリ２６１０は、印刷する画像を記憶するように構成されている。
【０１２３】
プリント指示部２６１１は、給紙トレイＩＤを指定して、プリント機構制御部２６１２に対してプリントコマンドを発行するように動作する。
【０１２４】
プリント機構制御部２６１２は、プリントコマンドに従ってプリント機構（図示せず）を制御し、印刷画像メモリ２６１０の印刷画像を給紙トレイの用紙に印刷させるように構成されている。
【０１２５】
コピーサービス履歴登録部２６１３は、コピーサービス履歴を生成し、コピーサービス履歴記憶部２２０５（図２３）に記憶させるように動作する。
【０１２６】
これらの構成による処理について詳述する。図２７は、コピー機による複写動作制御処理（Ｓ２４０４）のフローを示す図である。
【０１２７】
まず、コピー条件受付部２６０１によるコピー条件受付処理（Ｓ２７０１）について詳述する。図２８は、コピー条件受付処理（Ｓ２７０１）のフローを示す図である。コピー条件としてコピー枚数と用紙サイズの入力を促し、コピースタートの指示を受け付けるコピー条件画面を出力した状態でイベントの取得を待つ（Ｓ２８０１）。取得したイベントがコピー枚数の入力である場合には（Ｓ２８０２）、入力したコピー枚数をコピー条件としてコピー条件記憶部２６０２に記憶させる（Ｓ２８０３）。その後またイベント取得待ち状態（Ｓ２８０１）となる。取得したイベントが用紙サイズの入力である場合には（Ｓ２８０４）、入力した用紙サイズをコピー条件としてコピー条件記憶部２６０２に記憶させる（Ｓ２８０５）。この場合もイベント取得待ち状態（Ｓ２８０１）に戻る。そして、取得したイベントがコピースタートの指示である場合に（Ｓ２８０６）、コピー条件受付処理（Ｓ２７０１）を終了する。
【０１２８】
図２７に示すようにコピー条件受付処理（Ｓ２７０１）を終了すると、スキャン指示部２６０３によるスキャン指示処理（Ｓ２７０２）に移行する。この処理で、スキャン機構制御部２６０４に対してスキャンコマンドを発行する。スキャン機構制御部２６０４は、スキャン機構（図示せず）を制御して画像を読み取るスキャン動作をさせる。これによりスキャン画像メモリ２６０５に読み取った画像イメージを記憶させる。
【０１２９】
スキャン機構は、コンタクトガラスから原稿の画像データを読み取り、スキャン画像メモリ２６０５に記憶させるように動作する。また、ソータを装備している場合には、ソータにセットされている原稿の画像データを順次読み取り、スキャン画像メモリ２６０５に記憶させるように動作する。
【０１３０】
給紙トレイ判定部２６０７による給紙トレイ判定処理（Ｓ２７０３）では、給紙トレイ検知部２６０６からすべてのトレイＩＤに対応する用紙サイズと用紙の有無を取得し、コピー条件記憶部２６０２に記憶している用紙サイズと同じ用紙サイズのトレイのＩＤを、給紙するトレイＩＤとして特定する。
【０１３１】
印刷広告特定部２６０８による印刷広告特定処理（Ｓ２７０４）について説明する。図２９は、印刷広告特定処理（Ｓ２７０４）のフローを示す図である。この処理では、コピーサービスコードに含まれる適応広告ＩＤ群から順に広告ＩＤを読み込み、印刷広告ＩＤとする（Ｓ２９０１）。この例に依らず、順に従わずにかつ重複しないように印刷広告ＩＤを定める方法でもよい。
【０１３２】
印刷画像生成部２６０９による印刷画像生成処理（Ｓ２７０５）について説明する。図３０は、印刷画像生成処理（Ｓ２７０５）のフローを示す図である。スキャン画像メモリ２６０５で記憶しているスキャン画像を所定倍率で縮小し、縮小したスキャン画像を印刷画像メモリの所定位置に展開する（Ｓ３００１）。次に、印刷広告ＩＤに対応する広告画像ファイルを特定し（Ｓ３００２）、広告画像ファイルを読み込み、広告画像を印刷画像メモリの所定位置に展開する（Ｓ３００３）。これにより印刷画像が生成される。
【０１３３】
プリント指示部２６１１によるプリント指示処理（Ｓ２７０６）では、給紙トレイＩＤを指定して、プリント機構制御部２６１２に対してプリントコマンドを発行する。これにより、プリント機構制御部２６１２はプリント機構（図示せず）を制御して画像をプリントする動作をさせる。プリント機構は、指定されたＩＤの給紙トレイから給紙し、給紙された用紙に印刷画像メモリ２６１０の印刷画像のイメージを印刷して、印刷された用紙を排紙する。
【０１３４】
その後、コピー枚数判定部（図示せず）によりコピー枚数分プリントしたか判定し（Ｓ２７０７）、当該枚数に至るまでＳ２７０３〜Ｓ２７０６の処理を繰り返す。
【０１３５】
当該枚数分のプリントが完了すると、原稿検知部（図示せず）で、ソータに原稿が有るかを判定し（Ｓ２７０８）、ある場合には複写すべき原稿が残っていると想定されるので、Ｓ２７０２からの処理を繰り返す。
【０１３６】
すべての原稿について処理すると、コピー継続受付部（図示せず）によるコピー継続受付処理（Ｓ２７０９）を行う。この処理では、続けて複写を行うか、つまりコピーを継続するかをユーザに問う画面を表示部に出力し、継続あるいは非継続の旨を操作部に対する操作により入力させる。継続が選択された場合には、Ｓ２７０１に移行し、複写動作を続行する。
【０１３７】
非継続が選択された場合には、当該ユーザによる複写動作を終了し、コピーサービス履歴登録部２６１３によるコピーサービス履歴登録処理（Ｓ２７１０）で、図２２に示すようにコピーサービスコード記憶部２２０２で記憶しているコピーサービスコード中のユーザＩＤと、時計部（図示せず）から取得する印刷日時と、印刷広告特定部２６０８で特定して印刷した印刷広告ＩＤ（群）からなるコピーサービス履歴を生成し、コピーサービス履歴記憶部２２０５（図２３）に記憶させる。
【０１３８】
これによりコピーサービス実行フェーズ３０３を終了する。次に、コピーサービス履歴収集フェーズ３０４について説明する。
【０１３９】
図３１は、広告制御サーバ１０１のうちコピーサービス履歴収集フェーズ３０４と広告実績報告フェーズ３０５に係る構成を示す図である。広告制御サーバ１０１は、図５で既に説明したコピー機管理テーブル５０２（図７）と図１６で説明した会員情報管理テーブル１６０１（図１７）の他、コピーサービス履歴転送要求通知部３１０１、コピーサービス履歴受信部３１０２、収集コピーサービス履歴記憶部３１０３（図３２）、広告実績集計条件受付部３１０４、広告実績集計部３１０５、広告実績記憶部３１０６、及び広告実績出力部３１０７を有している。
【０１４０】
コピーサービス履歴転送要求通知部３１０１は、コピー機１０２とコネクションを確立するように動作する。
【０１４１】
コピーサービス履歴受信部３１０２は、コピー機１０２からコピーサービス履歴を受信し、収集コピーサービス履歴記憶部３１０３（図３２）に記憶させるように動作する。
【０１４２】
収集コピーサービス履歴記憶部３１０３は、各コピー機１０２から収集したコピーサービス履歴を記憶するように構成されている。図３２は、収集コピーサービス履歴記憶部３１０３を示す図である。収集コピーサービス履歴記憶部３１０３では、各コピー機から収集したコピーサービス履歴毎にレコード３２５１〜３２５６を設け、コピー機ＩＤ３２０１と、ユーザＩＤ３２０２と、印刷日時３２０３と、適応広告ＩＤ群３２０４の項目を対応付けて記憶するように構成されている。
【０１４３】
広告実績集計条件受付部３１０４、広告実績集計部３１０５、広告実績記憶部３１０６、及び広告実績出力部３１０７については、広告実績報告フェーズ３０５の説明で述べる。
【０１４４】
これらの構成による処理について説明する。図３３は、広告制御サーバ１０１によるコピーサービス履歴収集フェーズ３０４の処理を示す図である。収集対象となるコピー機１０２毎に以下の処理を繰り返す（Ｓ３３０１）。収集対象となるコピー機１０２は、コピー機管理テーブル５０２（図７）の各レコードにより特定される。
【０１４５】
コピーサービス履歴転送要求通知部３１０１によるコピーサービス履歴転送要求通知処理（Ｓ３３０２）では、コピー機１０２に対して履歴転送要求通知を送信し、コピー機１０２からの応答通知を受信した時点でコネクションが確立したと判断する。
【０１４６】
コピーサービス履歴受信部３１０２によるコピーサービス履歴受信処理（Ｓ３３０３）では、コピー機１０２からコピーサービス履歴を受信し、コピーサービス履歴受信部３１０２による収集コピーサービス履歴記憶処理（Ｓ３３０４）では、コピーサービス履歴を収集コピーサービス履歴記憶部３１０３（図３２）に記憶させる。
【０１４７】
上述の処理をすべてのコピー機について処理した時点で終了する（Ｓ３３０５）。
【０１４８】
次に、これに対するコピー機１０２の動作について説明する。図３４は、コピー機１０２のうちコピーサービス履歴収集フェーズ３０４に係る構成を示す図である。コピー機１０２は、図２２で既に説明したコピーサービス履歴記憶部２２０５（図２３）の他、コピーサービス履歴転送要求応答部３４０１とコピーサービス履歴送信部３４０２を有する。
【０１４９】
コピーサービス履歴転送要求応答部３４０１は、広告制御サーバ１０１からの要求に応じてコネクションを確立させるように動作する。
【０１５０】
コピーサービス履歴送信部３４０２は、コピーサービス履歴記憶部２２０５（図２３）からコピーサービス履歴を読み出し、広告制御サーバ１０１に送信するように動作する。
【０１５１】
これらの構成による処理に付いて説明する。図３５は、コピー機１０２よるコピーサービス履歴収集フェーズ３０４の処理を示す図である。コピーサービス履歴転送要求応答部３４０１は、コピーサービス履歴転送要求応答処理（Ｓ３５０１）で、広告制御サーバ１０１から履歴転送要求通知を受信すると、応答通知を返信する。これによりコネクションが確立する。そして、コピーサービス履歴送信部３４０２は、コピーサービス履歴送信処理（Ｓ３５０２）でコピーサービス履歴記憶部２２０５（図２３）からコピーサービス履歴を読み出し、広告制御サーバ１０１に返信する。
【０１５２】
これによりコピーサービス履歴収集フェーズ３０４が終了する。次に広告実績報告フェーズ３０５について説明する。
【０１５３】
図３１に示したように、広告制御サーバ１０１は広告実績報告フェーズ３０５のために広告実績集計条件受付部３１０４、広告実績集計部３１０５、広告実績記憶部３１０６、及び広告実績出力部３１０７を有している。
【０１５４】
広告実績集計条件受付部３１０４は、広告実績を収集する条件を受け付けるように動作する。具体的には、広告主ＰＣ１０４から広告実績収集条件を受信する。
【０１５５】
広告実績集計部３１０５は、広告実績収集条件に従って、コピーサービス履歴から広告実績を集計するように動作する。
【０１５６】
広告実績記憶部３１０６は、集計した広告実績を記憶するように構成されている。
【０１５７】
広告実績出力部３１０７は、広告実績を出力するように動作する。具体的には、広告主ＰＣ１０４に広告実績を返信する。
【０１５８】
これの構成による処理について説明する。図３６は、広告制御サーバ１０１による広告実績報告フェーズ３０５の処理を示す図である。
【０１５９】
広告実績集計条件受付部３１０４による広告実績集計条件受付処理（Ｓ３６０１）では、広告主ＰＣ１０４から広告実績収集条件を受信する。
【０１６０】
広告実績集計条件について説明する。図３７は、広告実績集計条件の構成例を示す図である。広告実績集計条件は、広告ＩＤ３７０１、印刷日時層別条件３７１０、コピー機層別条件３７２０、及びユーザ層別条件３７３０から構成されている。広告ＩＤ３７０１は、集計する広告を特定する。印刷日時層別条件３７１０は、印刷日時に関する層別を行なうための条件である。３７１１〜３７１２の各レコードは、各印刷日時層の条件を定めている。コピー機層別条件３７２０は、コピー機に関する層別を行なうための条件である。３７２１〜３７２３の各レコードは、各コピー機層の条件を定めている。ユーザ層別条件３７３０は、ユーザ機に関する層別を行なうための条件である。３７３１〜３７３３の各レコードは、各ユーザ層の条件を定めている。この例では、広告ＩＤ３７０１を必須の情報として、印刷日時層別条件３７１０、コピー機層別条件３７２０、及びユーザ層別条件３７３０を任意に設定できる条件としている。
【０１６１】
広告実績集計部３１０５による広告実績集計処理（Ｓ３６０２）について詳述する。図３８は、広告実績集計処理（Ｓ３６０２）のフローを示す図である。まず、印刷総数算出処理（Ｓ３８０１）で、当該広告を印刷した総数を算出する。次に、広告実績集計条件に印刷日時層別条件が含まれる場合には（Ｓ３８０２）、印刷日時層別処理（Ｓ３８０３）で印刷日時層別の印刷数を算出する。また、広告実績集計条件にコピー機層別条件が含まれる場合には（Ｓ３８０４）、コピー機層別処理（Ｓ３８０５）でコピー層別の印刷数を算出する。更に、広告実績集計条件にユーザ層別条件が含まれる場合には（Ｓ３８０６）、ユーザ層別処理（Ｓ３８０７）でユーザ層別の印刷数を算出する。
【０１６２】
これらの算出処理及び層別処理について詳述する。図３９は、印刷総数算出処理（Ｓ３８０１）のフローを示す図である。収集コピーサービス履歴記憶部３１０３（図３２）のレコード（コピーサービス履歴）毎に以下の処理を繰り返す（Ｓ３９０１）。当該レコードの印刷広告ＩＤ群に広告実績集計条件の広告ＩＤ３７０１が含まれるか判定し（Ｓ３９０２）、含まれる場合には印刷総数に１を加える（Ｓ３９０３）。印刷総数は、初期値を０とする内部パラメータである。そして、すべてのレコードについて処理した時点で終了する（Ｓ３９０４）。これにより印刷総数を得ることができる。
【０１６３】
図４０は、印刷日時層別処理（Ｓ３８０３）のフローを示す図である。収集コピーサービス履歴記憶部３１０３（図３２）のレコード（コピーサービス履歴）毎に以下の処理を繰り返す（Ｓ４００１）。当該レコードの印刷広告ＩＤ群に広告実績集計条件の広告ＩＤ３７０１が含まれるか判定し（Ｓ４００２）、含まれる場合にはＳ４００３〜Ｓ４００６の処理で層別を行なう。含まれない場合には、層別を行なわずに当該レコードの処理を終了し、Ｓ４００７に移行する。
【０１６４】
図３７に示した印刷日時層別条件３７１０の各印刷日時層の条件３７１１〜３７１３について以下の処理を繰り返す（Ｓ４００３）。当該レコード（コピーサービス履歴）の印刷日時が当該印刷日時層の条件に適合するか判定し（Ｓ４００４）、適合する場合には当該印刷日時層の印刷数に１を加える（Ｓ４００５）。印刷日時層毎の印刷数は、初期値を０とする内部パラメータである。すべての印刷日時層について処理した時点で（Ｓ４００６）、当該レコード（コピーサービス履歴）に関する層別が終了する。
【０１６５】
そして、すべてのレコード（コピーサービス履歴）について処理すると（Ｓ４００７）、各コピーサービス履歴に対する印刷日時に関する層別が完了する。
【０１６６】
これにより、印刷日時層別テーブルが得られる。図４１は、印刷日時層別テーブルの構成例を示す図である。本テーブルは、印刷日時層毎にレコード４１５１〜４１５３を設け、印刷日時層の条件４１０１と当該層の印刷数４１０２を対応付けて記憶している。
【０１６７】
図４２は、コピー機層別処理（Ｓ３８０５）のフローを示す図である。収集コピーサービス履歴記憶部３１０３（図３２）のレコード（コピーサービス履歴）毎に以下の処理を繰り返す（Ｓ４２０１）。当該レコードの印刷広告ＩＤ群に広告実績集計条件の広告ＩＤ３７０１が含まれるか判定し（Ｓ４２０２）、含まれる場合にはＳ４２０３〜Ｓ４２０７の処理で層別を行なう。含まれない場合には、層別を行なわずに当該レコードの処理を終了し、Ｓ４２０８に移行する。
【０１６８】
当該レコード（コピーサービス履歴）のコピー機ＩＤに対応するコピー機特性をコピー機管理テーブル５０２（図７）から読み取る（Ｓ４２０３）。
【０１６９】
そして、図３７に示したコピー機層別条件３７２０の各コピー機層の条件３７２１〜３７２３について以下の処理を繰り返す（Ｓ４２０４）。読み取ったコピー機特性が当該コピー機層の条件に適合するか判定し（Ｓ４２０５）、適合する場合には当該コピー機層の印刷数に１を加える（Ｓ４２０６）。コピー層毎の印刷数は、初期値を０とする内部パラメータである。すべてのコピー機層について処理した時点で（Ｓ４２０７）、当該レコード（コピーサービス履歴）の層別が終了する。
【０１７０】
そして、すべてのレコード（コピーサービス履歴）について処理すると（Ｓ４２０８）、各コピーサービス履歴に対するコピー機に関する層別が完了する。
【０１７１】
これにより、コピー機層別テーブルが得られる。図４３は、コピー機層別テーブルの構成例を示す図である。本テーブルは、コピー機層毎にレコード４３５１〜４３５３を設け、コピー機層の条件４３０１と当該層の印刷数４３０２を対応付けて記憶している。
【０１７２】
図４４は、ユーザ層別処理（Ｓ３８０７）のフローを示す図である。収集コピーサービス履歴記憶部３１０３（図３２）のレコード（コピーサービス履歴）毎に以下の処理を繰り返す（Ｓ４４０１）。当該レコードの印刷広告ＩＤ群に広告実績集計条件の広告ＩＤ３７０１が含まれるか判定し（Ｓ４４０２）、含まれる場合にはＳ４４０３〜Ｓ４４０７の処理で層別を行なう。含まれない場合には、層別を行なわずに当該レコードの処理を終了し、Ｓ４４０８に移行する。
【０１７３】
当該レコード（コピーサービス履歴）のユーザＩＤに対応する会員情報を会員情報管理テーブル１６０１（図１７）から読み取る（Ｓ４４０３）。
【０１７４】
そして、図３７に示したユーザ層別条件３７３０の各ユーザ層の条件３７３１〜３７３３について以下の処理を繰り返す（Ｓ４４０４）。読み取った会員情報が当該ユーザ層の条件に適合するか判定し（Ｓ４４０５）、適合する場合には当該ユーザ層の印刷数に１を加える（Ｓ４４０６）。ユーザ層毎の印刷数は、初期値を０とする内部パラメータである。
すべてのユーザ層について処理した時点で（Ｓ４４０７）、当該レコード（コピーサービス履歴）の層別が終了する。
【０１７５】
そして、すべてのレコード（コピーサービス履歴）について処理すると（Ｓ４４０８）、各コピーサービス履歴に対するユーザに関する層別が完了する。
【０１７６】
これにより、ユーザ層別テーブルが得られる。図４５は、ユーザ層別テーブルの構成例を示す図である。本テーブルは、ユーザ機層毎にレコード４５５１〜４５５３を設け、ユーザ機層の条件４５０１と当該層の印刷数４５０２を対応付けて記憶している。
【０１７７】
このようにして広告実績として印刷総数、印刷日時層別テーブル（図４１）、コピー機層別テーブル（図４３）、ユーザ層別テーブル（図４５）が得られる。
【０１７８】
図３６に示すように、最後に広告実績記憶部３１０６による広告実績出力処理（Ｓ３６０３）で広告実績として印刷総数、印刷日時層別テーブル（図４１）、コピー機層別テーブル（図４３）、ユーザ層別テーブル（図４５）を広告主ＰＣ１０４に送信する。
【０１７９】
実施の形態２．
上述の許可コードの例では、他のコピー機１０２に対する許可コードや他の配信バージョンの許可コードとの重複を避けるために、図９のように許可コード中にコピー機ＩＤ９０２と配信バージョン９０３を含めた。
【０１８０】
しかし上述の重複を避けることができる場合には、他の方法で許可コードを生成しても構わない。許可コード生成部５０５で許可コードを連番で生成して、重複を避ける方法や、重複の可能性が極めて低くなる程度に十分なコード長を有する乱数コードを生成して、その乱数コードを許可コードとすることにより、重複を避ける方法も有効である。
【０１８１】
実施の形態３．
上述のコピーサービスコードの提示では、短距離通信による転送を行なった。
【０１８２】
しかし、通信以外の手段によってコピーサービスコードを引き渡しても構わない。例えば、図２１のコピーサービスコード出力部２１０３で、携帯電話１０３の表示部にバーコード（二次元バーコードが好ましい）として表示させ、図２２のコピーサービスコード受付部２２０１で、バーコードをスキャンする構成としてもよい。
【０１８３】
実施の形態４．
上述の印刷画像の例では、図２に示すように同一面にスキャン画像２０１と広告画像２０２を配置した。
【０１８４】
しかし、コピー機１０２が両面印刷の機能を有する場合には、一方の面にスキャン画像を印刷し、他方の面に広告画像を印刷するようにしてもよい。
【０１８５】
この場合には、図２６の印刷画像生成部２６０９は、印刷広告ＩＤに対応する広告画像ファイルから得られえる広告画像のみを印刷画像メモリ２６１０に展開し、プリント指示部２６１１は、スキャン画像メモリ２６０５の画像イメージを給紙トレイＩＤから給紙した用紙に印刷し、印刷した用紙を反転させるプリントコマンドをプリント機構制御部２６１２に発行した後に、反転した用紙に印刷画像メモリ２６１０の画像イメージを印刷し、排紙させるプリントコマンドをプリント機構制御部２６１２に発行する。これにより、プリント機構制御部２６１２は、スキャン画像メモリ２６０５の画像イメージを給紙トレイＩＤから給紙した用紙に印刷し、印刷した用紙を反転させ、更に印刷画像メモリ２６１０の画像イメージを反転した用紙に印刷し、排紙する。
【０１８６】
実施の形態５．
上述の例では、コピー機の基本動作としてスキャンした画像を印刷したが、他の画像を印刷することも考えられる。つまりコピー機に限らず、他の印刷機であっても構わない。
【０１８７】
印刷する画像データは、コピー機のコンタクトガラスあるいはソータに設置された原稿から読み取った画像イメージに限らず、記憶媒体から読み取った画像イメージ（例えば、圧縮されている電子写真データを伸張して得る写真イメージ、ワープロや図形作成や表作成のアプリケーションプログラムで生成されたワープロデータや図形データや表データを展開した印字イメージ）や、通信媒体から読み取った画像イメージ（例えば、圧縮されているＦＡＸデータを伸張して得る印字イメージ）であってもよい。その場合、印刷機は、記憶媒体からデータを読み取り、当該データを画像イメージに変換し、画像メモリに記憶させる記憶媒体画像イメージ読取部、あるいは通信媒体からデータを受信し、当該データを画像イメージに変換し、画像メモリに記憶させる通信媒体画像データ読取部を有する。
【０１８８】
また、印刷機にカメラなどの撮像装置が接続されているシステムに応用する場合には、撮像装置で撮影した撮像イメージを画像イメージとして画像メモリに記憶させる形態となる。写真イメージを印刷する場合には、用紙サイズは、全紙、半切、４切、６切等となることがある。
【０１８９】
コピーは、印刷の形態の一つであり、コピーサービスコード発行フェーズ３０２、コピーサービス実行フェーズ３０３、コピーサービス履歴収集フェーズ３０４、コピーサービス単位４０１、コピーサービス提供単位４０２、コピーサービス管理単位４０３、コピー機管理テーブル５０２、コピー機特定部１６０３、コピーサービスコード生成部１６０６、コピーサービスコード返信部１６０７、コピーサービスコード受信部２１０１、コピーサービスコード記憶部２１０２、コピーサービスコード出力部２１０３、コピーサービスコード受付部２２０１、コピーサービスコード記憶部２２０２、複写動作制御部２２０４、コピーサービス履歴記憶部２２０５、コピー条件受付部２６０１、コピー条件記憶部２６０２、コピーサービス履歴登録部２６１３、コピーサービス履歴転送要求通知部３１０１、コピーサービス履歴受信部３１０２、収集コピーサービス履歴記憶部３１０３、コピーサービス履歴転送要求応答部３４０１、コピーサービス履歴送信部３４０２、及びコピー機層別条件３７２０は、それぞれ印刷サービスコード発行フェーズ、印刷サービス実行フェーズ、印刷サービス履歴収集フェーズ、印刷サービス単位、印刷サービス提供単位、印刷サービス管理単位、印刷機管理テーブル、印刷機特定部、印刷サービスコード生成部、印刷サービスコード返信部、印刷サービスコード受信部、印刷サービスコード記憶部、印刷サービスコード出力部、印刷サービスコード受付部、印刷サービスコード記憶部、印刷動作制御部、印刷サービス履歴記憶部、印刷条件受付部、印刷条件記憶部、印刷サービス履歴登録部、印刷サービス履歴転送要求通知部、印刷サービス履歴受信部、収集印刷サービス履歴記憶部、印刷サービス履歴転送要求応答部、印刷サービス履歴送信部、及び印刷機層別条件の例である。
【０１９０】
実施の形態６．
図３６の広告実績集計処理Ｓ３６０２において、印刷日時の条件とコピー機の条件を組み合わせた層別処理や、印刷日時の条件とユーザの条件を組み合わせた層別処理、コピー機の条件とユーザの条件を組み合わせた層別処理、あるいは印刷日時の条件とコピー機の条件とユーザの条件を組み合わせた層別処理も有効である。
【０１９１】
実施の形態７．
図１６のコピー機特定部１６０３で、コピー機のリストに代えて、コピー機の設置位置を示してコピー機の選択を促す地図を生成して、送信することも有効である。
【０１９２】
広告制御サーバ１０１は、コンピュータであり、各要素はプログラムにより処理を実行することができる。また、プログラムを記憶媒体に記憶させ、記憶媒体からコンピュータに読み取られるようにすることができる。
【図面の簡単な説明】
【０１９３】
【図１】本発明に係るネットワーク構成を示す図である。
【図２】印刷画像の例を示す図である。
【図３】各フェーズにおける主なデータフローを示す図である。
【図４】各フェーズの構成を示す図である。
【図５】広告制御サーバ１０１のうち広告画像配信フェーズ３０１に係る構成を示す図である。
【図６】広告管理テーブル５０１の構成例を示す図である。
【図７】コピー機管理テーブル５０２の構成例を示す図である。
【図８】配信広告テーブル５０４の構成例を示す図である。
【図９】許可コード群の構成例を示す図である。
【図１０】許可コード管理テーブル５１０の構成例を示す図である。
【図１１】広告制御サーバ１０１による広告画像配信フェーズ３０１の処理フローを示す図である。
【図１２】配信広告選択処理（Ｓ１１０３）のフローを示す図である。
【図１３】許可コード生成処理（Ｓ１１０４）のフローを示す図である。
【図１４】コピー機１０２のうち広告画像配信フェーズ３０１に係る構成を示す図である。
【図１５】コピー機１０２による広告画像配信フェーズ３０１の処理フローを示す図である。
【図１６】広告制御サーバ１０１のうちコピーサービスコード発行フェーズ３０２に係る構成を示す図である。
【図１７】会員情報管理テーブル１６０１の構成例を示す図である。
【図１８】コピーサービスコードの構成例を示す図である。
【図１９】広告制御サーバ１０１によるコピーサービスコード発行フェーズ３０２の処理フローを示す図である。
【図２０】適応広告判定処理（Ｓ１９０３）のフローを示す図である。
【図２１】携帯電話１０３のうちコピーサービスコード発行フェーズ３０２とコピーサービスコード実行フェーズ３０３に係る構成を示す図である。
【図２２】コピー機１０２のうちコピーサービス実行フェーズ３０３に係る構成を示す図である。
【図２３】コピーサービス履歴記憶部２２０５を示す図である。
【図２４】コピー機１０２によるコピーサービス実行フェーズ３０３の処理フローを示す図である。
【図２５】許可コード判定処理（Ｓ２４０３）のフローを示す図である。
【図２６】複写動作制御部２２０４の構成を示す図である。
【図２７】コピー機による複写動作制御処理（Ｓ２４０４）のフローを示す図である。
【図２８】コピー条件受付処理（Ｓ２７０１）のフローを示す図である。
【図２９】印刷広告特定処理（Ｓ２７０４）のフローを示す図である。
【図３０】印刷画像生成処理（Ｓ２７０５）  のフローを示す図である。
【図３１】広告制御サーバ１０１のうちコピーサービス履歴収集フェーズ３０４と広告実績報告フェーズ３０５に係る構成を示す図である。
【図３２】収集コピーサービス履歴記憶部３１０３を示す図である。
【図３３】広告制御サーバ１０１によるコピーサービス履歴収集フェーズ３０４の処理を示す図である。
【図３４】コピー機１０２のうちコピーサービス履歴収集フェーズ３０４に係る構成を示す図である。
【図３５】コピー機１０２よるコピーサービス履歴収集フェーズ３０４の処理を示す図である。
【図３６】広告制御サーバ１０１による広告実績報告フェーズ３０５の処理を示す図である。
【図３７】広告実績集計条件の構成例を示す図である。
【図３８】広告実績集計処理（Ｓ３６０２）のフローを示す図である。
【図３９】印刷総数算出処理（Ｓ３８０１）のフローを示す図である。
【図４０】印刷日時層別処理（Ｓ３８０３）のフローを示す図である。
【図４１】印刷日時層別テーブルの構成例を示す図である。
【図４２】コピー機層別処理（Ｓ３８０５）のフローを示す図である。
【図４３】コピー機層別テーブルの構成例を示す図である。
【図４４】ユーザ層別処理（Ｓ３８０７）のフローを示す図である。
【図４５】ユーザ層別テーブルの構成例を示す図である。
【符号の説明】
【０１９４】
１０１  広告制御サーバ、１０２  コピー機、１０３ユーザＰＣ、１０４  広告主ＰＣ、２０１  スキャン画像、２０２  広告画像、３０１  広告画像配信フェーズ、３０２  コピーサービスコード発行フェーズ、３０３  コピーサービス実行フェーズ、３０４  コピーサービス履歴収集フェーズ、３０５  広告実績報告フェーズ、４０１  コピーサービス単位、４０２  コピーサービス提供単位、４０３  コピーサービス管理単位、５０１  広告管理テーブル、５０２  コピー機管理テーブル、５０３  配信広告選択部、５０４  配信広告テーブル、５０５  許可コード生成部、５０６  広告画像配信開始通知部、５０７  広告画像ファイル蓄積部、５０８  広告画像送信部、５０９  許可コード送信部、５１０  許可コード管理テーブル、１４０１  広告画像配信開始応答部、１４０２  広告画像受信部、１４０３  広告画像ファイル記憶部、１４０４  許可コード受信部、１４０５  許可コード記憶部、１６０１  会員情報管理テーブル、１６０２  ユーザ認証部、１６０３  コピー機特定部、１６０４  適応広告判定部、１６０５  許可コード割当部、１６０６  コピーサービスコード生成部、１６０７  コピーサービスコード返信部、２１０１  コピーサービスコード受信部、２１０２  コピーサービスコード記憶部、２１０３コピーサービスコード出力部、２２０１  コピーサービスコード受付部、２２０２  コピーサービスコード記憶部、２２０３  許可コード判定部、２２０４  複写動作制御部、２２０５  コピーサービス履歴記憶部、２６０１  コピー条件受付部、２６０２  コピー条件記憶部、２６０３  スキャン指示部、２６０４  スキャン機構制御部、２６０５  スキャン画像メモリ、２６０６  給紙トレイ検知部、２６０７  給紙トレイ判定部、２６０８  印刷広告特定部、２６０９  印刷画像生成部、２６１０  印刷画像メモリ、２６１１  プリント指示部、２６１２  プリント機構制御部、２６１３  コピーサービス履歴登録部、３１０１  コピーサービス履歴転送要求通知部、３１０２  コピーサービス履歴受信部、３１０３収集コピーサービス履歴記憶部、３１０４  広告実績集計条件受付部、３１０５  広告実績集計部、３１０６  広告実績記憶部、３１０７  広告実績出力部、３４０１  コピーサービス履歴転送要求応答部、３４０２  コピーサービス履歴送信部、３７０１  広告ＩＤ、３７１０  印刷日時層別条件、３７２０  コピー機層別条件、３７３０  ユーザ層別条件。
【図１】
0005001083.tif 000002
【図２】
0005001083.tif 000003
【図３】
0005001083.tif 000004
【図４】
0005001083.tif 000005
【図５】
0005001083.tif 000006
【図６】
0005001083.tif 000007
【図７】
0005001083.tif 000008
【図８】
0005001083.tif 000009
【図９】
0005001083.tif 000010
【図１０】
0005001083.tif 000011
【図１１】
0005001083.tif 000012
【図１２】
0005001083.tif 000013
【図１３】
0005001083.tif 000014
【図１４】
0005001083.tif 000015
【図１５】
0005001083.tif 000016
【図１６】
0005001083.tif 000017
【図１７】
0005001083.tif 000018
【図１８】
0005001083.tif 000019
【図１９】
0005001083.tif 000020
【図２０】
0005001083.tif 000021
【図２１】
0005001083.tif 000022
【図２２】
0005001083.tif 000023
【図２３】
0005001083.tif 000024
【図２４】
0005001083.tif 000025
【図２５】
0005001083.tif 000026
【図２６】
0005001083.tif 000027
【図２７】
0005001083.tif 000028
【図２８】
0005001083.tif 000029
【図２９】
0005001083.tif 000030
【図３０】
0005001083.tif 000031
【図３１】
0005001083.tif 000032
【図３２】
0005001083.tif 000033
【図３３】
0005001083.tif 000034
【図３４】
0005001083.tif 000035
【図３５】
0005001083.tif 000036
【図３６】
0005001083.tif 000037
【図３７】
0005001083.tif 000038
【図３８】
0005001083.tif 000039
【図３９】
0005001083.tif 000040
【図４０】
0005001083.tif 000041
【図４１】
0005001083.tif 000042
【図４２】
0005001083.tif 000043
【図４３】
0005001083.tif 000044
【図４４】
0005001083.tif 000045
【図４５】
0005001083.tif 000046